(57)【要約】【課題】フランジによるシール性を確保することができるとともに、キャップの成形不良の発生を抑制することができる。【解決手段】エアクリーナ１０は、インレットを有するケース２０、アウトレットを有するキャップ３０、並びに濾過部５１及び濾過部５１の周縁に設けられた環状のシール部５２を有するフィルタエレメント５０を備え、ケース２０の開口２１と同開口２１に向かい合うキャップ３０の開口３１との間にフィルタエレメント５０が設けられている。キャップ３０は樹脂材料により形成されている。キャップ３０の開口３１を取り囲む周壁３２には、外周側に向けて突出するフランジ３５が全周にわたって形成されている。フランジ３５は、周壁３２の外面３２ａに連なるとともに外周側ほどケース２０側に位置するように外面３２ａに対して傾斜した外側傾斜面３８と、シール部５２に当接されるシール面４１とを有する傾斜部３６を備えている。【選択図】図２
2018080583.tif 000002
【特許請求の範囲】
【請求項１】
インレットを有するケース、アウトレットを有するキャップ、並びに濾過部及び前記濾過部の周縁に設けられた環状のシール部を有するフィルタエレメントを備え、前記ケースの開口と同開口に向かい合う前記キャップの開口との間に前記フィルタエレメントが設けられたエアクリーナにおいて、
前記キャップは樹脂材料により形成されており、
前記キャップの開口を取り囲む周壁には、外周側に向けて突出するフランジが全周にわたって形成されており、
前記フランジは、前記周壁の外面に連なるとともに外周側ほど前記ケース側に位置するように前記外面に対して傾斜した外側傾斜面と、前記シール部に当接されるシール面とを有する傾斜部を備えている、
エアクリーナ。
【請求項２】
前記傾斜部は、前記外側傾斜面及びその裏側に位置する内側傾斜面を有する傾斜壁部と、前記内側傾斜面から前記シール部に向けて突出するとともに周方向に沿って延在する突条部とを有しており、
前記突条部の先端に前記シール面が形成されている、
請求項１に記載のエアクリーナ。
【請求項３】
前記周壁は、前記シール部よりも内周側に位置するとともに前記シール部の内周側への変位を規制する内壁部を有しており、
前記フランジは、前記傾斜部の外周側の縁から屈曲されるとともに前記ケース側に向けて延設されて前記シール部の外周を覆う外壁部を有しており、
前記突条部と前記内壁部及び前記外壁部の少なくとも一方との間には、互いを連結するリブが設けられている、
請求項２に記載のエアクリーナ。
【請求項４】
前記傾斜部には、前記外側傾斜面に開口する凹部が形成されている、
請求項１〜請求項３のいずれか一項に記載のエアクリーナ。
【請求項５】
前記ケースは、前記凹部に掛止されるクランプを傾動可能に支持している、
請求項４に記載のエアクリーナ。
【発明の詳細な説明】
【技術分野】
【０００１】
本発明は、エアクリーナに関する。
【背景技術】
【０００２】
特許文献１には、車載内燃機関のエアクリーナが開示されている。このエアクリーナは、インレットを有するケース、アウトレットを有するキャップ、及びケースの開口と同開口に向かい合うキャップの開口との間に介設されて吸気に含まれるダストを捕捉するフィルタエレメントを備えている。ケース及びキャップは硬質樹脂材料により形成されている。フィルタエレメントは、濾過部と、濾過部の周縁に設けられた弾性体からなる環状のシール部とを有している。ケースの開口の周縁に形成された環状のケースフランジとキャップの開口の周縁に形成された環状のキャップフランジとによってシール部が挟持されている。これにより、シール部とキャップフランジとの間がシールされている。
【０００３】
また、従来、図８に示すように、キャップフランジ１３５の剛性を高めるために、キャップフランジ１３５の外面から、キャップ１３０の開口を取り囲む周壁１３２の外面にかけて三角形板状の複数のリブ（以下、外側リブ１４０）が周方向に間隔をおいて設けられている。これらの外側リブ１４０を設定することにより、キャップフランジ１３５のクリープ変形を抑制することができ、シール部とキャップフランジ１３５との間のシール性を確保することができる。
【先行技術文献】
【特許文献】
【０００４】
【特許文献１】特開平９−１４０６５号公報
【発明の概要】
【発明が解決しようとする課題】
【０００５】
ところが、図８に示すように、キャップ１３０の外面に外側リブ１４０を設定すると、キャップ１３０を射出成形する際に、周壁１３２の外面のうち外側リブ１４０の基端分部を起点としてシルバーストリーク１４２が発生しやすく、このことがキャップ１３０の商品性を低下させるという不都合が生じる。シルバーストリークは、樹脂成形体の射出成形の際に発生する成形不良であり、溶融樹脂に含まれる気体が成形表面にて潰れることにより発生する。図８に示すように、上記キャップ１３０を射出成形する際には、例えば同図に二点鎖線にて示すゲート１６０から成形型の内部に溶融樹脂が流入する。このとき、成形型の内部のキャビティのうち外側リブ１４０に対応する部分を同外側リブ１４０に対して直交する向きに溶融樹脂が流れると、溶融樹脂の内部のガスが成形表面に溜まりやすく、シルバーストリークが発生しやすい。そのため、シルバーストリークを隠すべく、例えばキャップの外面に黒色のスプレーを塗布して外観を向上させるといった別工程が必要となる。
【０００６】
本発明の目的は、フランジによるシール性を確保することができるとともに、キャップの成形不良の発生を抑制することのできるエアクリーナを提供することにある。
【課題を解決するための手段】
【０００７】
上記目的を達成するためのエアクリーナは、インレットを有するケース、アウトレットを有するキャップ、並びに濾過部及び前記濾過部の周縁に設けられた環状のシール部を有するフィルタエレメントを備え、前記ケースの開口と同開口に向かい合う前記キャップの開口との間に前記フィルタエレメントが設けられたものである。前記キャップは樹脂材料により形成されており、前記キャップの開口を取り囲む周壁には、外周側に向けて突出するフランジが全周にわたって形成されており、前記フランジは、前記周壁の外面に連なるとともに外周側ほど前記ケース側に位置するように前記外面に対して傾斜した外側傾斜面と、前記シール部に当接されるシール面とを有する傾斜部を備えている。
【０００８】
同構成によれば、フランジの傾斜部が上記態様にて傾斜した外側傾斜面を有しているため、周壁の外面に対して直交して連なる従来のフランジに比べて、剛性が高くなり、クリープ変形を抑制することができる。これにより、フィルタエレメントのシール部がシール面に対して安定して当接することとなり、シール部とシール面との間をシールすることができる。したがって、フランジの剛性を高めるための外側リブの廃止、または低減を図ることができる。
【発明の効果】
【０００９】
本発明によれば、フランジによるシール性を確保することができるとともに、キャップの成形不良の発生を抑制することができる。
【図面の簡単な説明】
【００１０】
【図１】第１実施形態のエアクリーナを示す斜視図。
【図２】第１実施形態のエアクリーナについて、フィルタエレメントのシール部を中心とした一部を拡大して示す拡大断面図。
【図３】第１実施形態のキャップを開口側から示す平面図。
【図４】第２実施形態のキャップを示す斜視図。
【図５】第２実施形態のキャップを開口側から示す平面図。
【図６】第２実施形態のエアクリーナについて、フィルタエレメントのシール部を中心とした一部を拡大して示す拡大断面図。
【図７】変形例におけるキャップについて、フランジを中心に拡大して示す拡大断面図。
【図８】従来のエアクリーナのキャップのフランジを示す斜視図。
【発明を実施するための形態】
【００１１】
＜第１実施形態＞
以下、図１〜図３を参照して、第１実施形態について説明する。
図１に示すように、エアクリーナ１０は、内燃機関の吸気通路に設けられるものであり、インレット２４を有するケース２０、アウトレット３４を有するキャップ３０を備えている。ケース２０及びキャップ３０は共に硬質樹脂材料により形成されている。
【００１２】
図２に示すように、ケース２０の開口２１と同開口２１に向かい合うキャップ３０の開口３１との間には、フィルタエレメント５０が設けられている。フィルタエレメント５０は、不織布や濾紙などの濾材シートを襞折りすることにより形成された濾過部５１と、濾過部５１の周縁に設けられた弾性体からなる環状のシール部５２とを有している。シール部５２は、例えば独立気泡の発泡ポリウレタン樹脂により形成されている。
【００１３】
図１及び図２に示すように、ケース２０は、開口２１を取り囲む周壁２２及び底壁２３を有している。本実施形態では、インレット２４が周壁２２から外側に向けて突設されている。開口２１の周縁には、周壁２２から屈曲するとともに外周側に向けて突出したフランジ２５が全周にわたって形成されている。
【００１４】
キャップ３０は、開口３１を取り囲む周壁３２及び頂壁３３を有している。周壁３２は、シール部５２よりも内周側に位置するとともにシール部５２の内周側への変位を規制する内壁部４４を有している。本実施形態では、アウトレット３４が周壁３２から外側に向けて突設されている。周壁３２の外面３２ａには、外周側に向けて突出するフランジ３５が全周にわたって形成されている。
【００１５】
次に、キャップ３０のフランジ３５の形状について詳細に説明する。
図３に示すように、本実施形態のキャップ３０の開口３１及びフランジ３５はそれぞれ平面視長方形状をなしている。
【００１６】
図２及び図３に示すように、フランジ３５は、外側傾斜面３８及びその裏側に位置する内側傾斜面３９を有する傾斜壁部３７と、内側傾斜面３９からシール部５２に向けて突出するとともに周方向に沿って全周にわたって延在する突条部４０とを有する傾斜部３６を備えている。
【００１７】
外側傾斜面３８は、周壁３２の外面３２ａに連なるとともに外周側ほどケース２０側に位置するように外面３２ａに対して傾斜している。また、内側傾斜面３９は、外側傾斜面３８に沿って形成されている。
【００１８】
突条部４０の先端には、シール部５２に当接されるシール面４１が形成されている。
また、フランジ３５は、傾斜壁部３７の外周側の縁から屈曲されるとともにケース２０側に向けて延設されてシール部５２を外周側から覆う外壁部４５を有している。
【００１９】
突条部４０と内壁部４４及び外壁部４５の双方との間には、互いを連結する複数のリブ４２，４３が周方向に間隔をおいてそれぞれ設けられている。
なお、ケース２０及びキャップ３０には、ケース２０のフランジ２５とキャップ３０のフランジ３５とによりフィルタエレメント５０のシール部５２が挟持された状態において、ケース２０及びキャップ３０を互いに締結するクランプ機構（図示略）が設けられている。
【００２０】
以上説明した本実施形態に係るエアクリーナによれば、以下に示す作用効果が得られるようになる。
（１）キャップ３０のフランジ３５は、周壁３２の外面３２ａに連なるとともに外周側ほどケース２０側に位置するように外面３２ａに対して傾斜した外側傾斜面３８と、シール部５２に当接されるシール面４１とを有する傾斜部３６を備えている。
【００２１】
こうした構成によれば、フランジ３５の傾斜部３６が上記態様にて傾斜した外側傾斜面３８を有しているため、周壁の外面に対して直交して連なる従来のフランジに比べて、剛性が高くなり、クリープ変形を抑制することができる。これにより、フィルタエレメント５０のシール部５２がシール面４１に対して安定して当接することとなり、シール部５２とシール面４１との間をシールすることができる。したがって、フランジ３５の剛性を高めるための外側リブを廃止でき、前述したシルバーストリークの発生を阻止することができる。
【００２２】
よって、フランジ３５によるシール性を確保することができるとともに、キャップ３０の成形不良の発生を抑制することができる。
（２）周壁３２は、シール部５２よりも内周側に位置するとともにシール部５２の内周側への変位を規制する内壁部４４を有している。
【００２３】
内燃機関のエアクリーナ１０においては、吸気管負圧によりシール部５２が内周側に向けて吸引されることによってケース２０のフランジ２５とキャップ３０のフランジ３５との間から抜け出すおそれがある。
【００２４】
この点、上記構成によれば、キャップ３０の周壁３２の内壁部４４によりシール部５２の内周側への変位が規制されるため、上述したシール部５２の抜け出しを阻止することができる。
【００２５】
また、内壁部４４が設けられていることにより、周壁３２の剛性を一層高めることができ、ひいては周壁３２に連なるフランジ３５の剛性を一層高めることができる。
（３）フランジ３５は、傾斜壁部３７の外周側の縁から屈曲されるとともにケース２０側に向けて延設されてシール部５２を外周側から覆う外壁部４５を有している。
【００２６】
こうした構成によれば、フランジ３５の外壁部４５によりシール部５２を保護することができる。
また、傾斜壁部３７の外周側の縁に外壁部４５が連なって形成されていることにより、フランジ３５の剛性を一層高めることができる。
【００２７】
（４）傾斜部３６は、外側傾斜面３８及びその裏側に位置する内側傾斜面３９を有する傾斜壁部３７と、内側傾斜面３９からシール部５２に向けて突出するとともに周方向に沿って延在する突条部４０とを有している。突条部４０の先端にシール面４１が形成されている。
【００２８】
こうした構成によれば、傾斜壁部３７の内側傾斜面３９から突出した突条部４０の先端にシール面４１が形成されているため、フランジ３５に傾斜壁部３７を設定しながらもフィルタエレメント５０のシール部５２に対してシール面４１を適切に当接させることができる。したがって、既存の形状のシール部５２を有するフィルタエレメント５０であっても、シール部５２とシール面４１との間を適切にシールすることができる。
【００２９】
（５）突条部４０と内壁部４４及び外壁部４５の双方との間には、互いを連結するリブ４２，４３がそれぞれ設けられている。
こうした構成によれば、リブ４２，４３によって突条部４０の剛性が高められることから、フィルタエレメント５０のシール部５２とシール面４１とを一層安定して当接させることができる。したがって、フィルタエレメント５０であってもシール部５２とシール面４１との間を確実にシールすることができる。
【００３０】
＜第２実施形態＞
以下、図４〜図６を参照して、第２実施形態について第１実施形態との相違点を中心に説明する。
【００３１】
図４〜図６に示すように、キャップ３０の傾斜部３６には、外側傾斜面３８に開口する複数（本実施形態では４つ）の凹部３６ａが周方向に間隔をおいて形成されている。
図６に示すように、凹部３６ａは、突条部４０の内部まで延在している。本実施形態では、凹部３６ａを設けることにより、傾斜壁部３７及び突条部４０の肉厚が同一に設定されている。
【００３２】
一方、ケース２０の周壁２２の外面には、一対の支持台２６が周方向に間隔をおいて形成されている。なお、図６においては、一方の支持台２６のみが示されている。一対の支持台２６の対向面には、軸部２７の両端部がそれぞれ連結されている。軸部２７には、クランプ２８が傾動可能に支持されている。本実施形態では、軸部２７が周方向においてキャップ３０の上記凹部３６ａに対応する位置に設けられており、クランプ２８が上記凹部３６ａに掛止可能に構成されている。
【００３３】
図５に示すように、上記凹部３６ａは、フランジ３５の四辺のうち互いに対向する一対の辺に２つずつ形成されている。
図５及び図６に示すように、本実施形態では、第１実施形態において例示したリブ４２，４３に加えて、突条部４０と内壁部４４及び外壁部４５の双方との間のうち周方向における凹部３６ａに対応する位置にリブ４６，４７がそれぞれ設けられている。リブ４６，４７は、周方向において凹部３６ａの中央に位置している。
【００３４】
以上説明した本実施形態に係るエアクリーナによれば、第１実施形態の効果（１）〜（５）に加えて新たに以下に示す作用効果が得られるようになる。
（６）傾斜部３６には、外側傾斜面３８に開口する凹部３６ａが形成されている。
【００３５】
こうした構成によれば、凹部３６ａにより傾斜部３６が肉盗みされることとなる。このため、キャップ３０を樹脂成形する際にヒケなどの成形不良が生じることを抑制できる。
（７）ケース２０は、凹部３６ａに掛止されるクランプ２８を傾動可能に支持している。このように傾斜部３６に形成された凹部３６ａをクランプ２８が掛止される掛止部として利用することができることから、上記掛止部をキャップ３０に別途形成しなくて済む。
【００３６】
（８）凹部３６ａがシール面４１を有する突条部４０に対応する位置に形成されていることから、シール面４１とシール部５２との間にシール圧を効果的に作用させることができ、シール性を高めることができる。
【００３７】
（９）突条部４０と内壁部４４及び外壁部４５の双方との間のうち周方向における凹部３６ａに対応する位置には、リブ４６，４７がそれぞれ設けられている。
傾斜部３６に凹部３６ａを設けることにより、傾斜部３６の剛性が部分的に低下することとなる。この点、上記構成によれば、上述した傾斜部３６の剛性の低下をリブ４６，４７により抑制することができる。
【００３８】
＜変形例＞
なお、上記実施形態は、例えば以下のように変更することもできる。
・上記各実施形態では、突条部４０と内壁部４４及び外壁部４５の双方との間にリブ４２，４３をそれぞれ設定したが、これらのうちの一方のリブ４２（４３）を省略することもできる。また、これらのリブ４２，４３の双方を省略することもできる。
【００３９】
・フランジ３５の傾斜部３６は突条部４０を有するものに限定されない。すなわち、図７に示すように、傾斜部３６の外側傾斜面３８の裏側全体をフィルタエレメント５０のシール部５２が当接可能なシール面４１にすることもできる。
【００４０】
・キャップ３０のフランジ３５から外壁部４５を省略することもできる。
・キャップ３０のフランジ３５から内壁部４４を省略することもできる。
・本発明に係るキャップは、外側リブ１４０（図８参照）を有していないものに限定されない。前述したように、本発明を適用することにより、フランジによるシール性を確保することができることから、外側リブの数を低減することができる。したがって、キャップの成形不良箇所を少なくすることができる。
【符号の説明】
【００４１】
１０…エアクリーナ、２０…ケース、２１…開口、２２…周壁、２３…底壁、２４…インレット、２５…フランジ、２６…支持台、２７…軸部２８…クランプ、３０，１３０…キャップ、３１…開口、３２，１３２…周壁、３２ａ…外面、３３…頂壁、３４…アウトレット、３５，１３５…フランジ、３６…傾斜部、３６ａ…凹部、３７…傾斜壁部、３８…外側傾斜面、３９…内側傾斜面、４０…突条部、４１…シール面、４２，４３…リブ、４４…内壁部、４５…外壁部、４６，４７…リブ、５０…フィルタエレメント、５１…濾過部、５２…シール部、１４０…リブ、１４２…シルバーストリーク、１６０…ゲート。
【図１】
2018080583.tif 000003
【図２】
2018080583.tif 000004
【図３】
2018080583.tif 000005
【図４】
2018080583.tif 000006
【図５】
2018080583.tif 000007
【図６】
2018080583.tif 000008
【図７】
2018080583.tif 000009
【図８】
2018080583.tif 000010